(57)【特許請求の範囲】
【請求項１】
タイヤのトレッド踏面に、トレッド周方向に延びる少なくとも２本の周方向溝及びトレッド端により区画される、少なくとも３つの陸部列を有する空気入りタイヤにおいて、
前記陸部列のうちトレッド幅方向最外側の陸部列に、当該陸部列に隣接する周方向溝から少なくとも接地端まで、トレッド幅方向に延びるサイプが複数本配置され、
前記サイプを、トレッド幅方向外側から順に、サイプ外側部分、サイプ中央部分、サイプ内側部分の３つに、トレッド幅方向に分けたとき、
前記サイプ外側部分におけるサイプ深さは、前記サイプ中央部分におけるサイプ深さより浅く、
前記サイプ内側部分におけるサイプ深さは、前記サイプ中央部分におけるサイプ深さより浅く、且つ、前記サイプ外側部分におけるサイプ深さより深く、
前記サイプは、タイヤ平面視にて、前記サイプ中央部分と前記サイプ内側部分との交点にて屈曲した形状を有しており、
前記サイプ内側部分のトレッド幅方向に対する傾斜角度は、前記サイプ中央部分のトレッド幅方向に対する傾斜角度よりも大きいことを特徴とする空気入りタイヤ。
【請求項２】
前記サイプ外側部分における底部と、前記サイプ中央部分における底部とを連結する第１の側壁は、タイヤ径方向内側から外側に向かって、トレッド幅方向外側に傾斜している、請求項１に記載の空気入りタイヤ。
【請求項３】
前記サイプ内側部分における底部と、前記サイプ中央部分における底部とを連結する第２の側壁は、タイヤ径方向内側から外側に向かって、トレッド幅方向内側に傾斜している、請求項１に記載の空気入りタイヤ。
【請求項４】
前記サイプ外側部分における底部と、前記サイプ中央部分における底部とを連結する第１の側壁は、タイヤ径方向内側から外側に向かって、トレッド幅方向外側に傾斜し、且つ、前記サイプ内側部分における底部と、前記サイプ中央部分における底部とを連結する第２の側壁は、タイヤ径方向内側から外側に向かって、トレッド幅方向内側に傾斜している、請求項１に記載の空気入りタイヤ。
【請求項５】
前記トレッド幅方向最外側の陸部列のみに、サイプが配置されている、請求項１〜４のいずれか１項に記載の空気入りタイヤ。
【請求項６】
前記サイプの開口幅ｗと、前記サイプ外側部分におけるサイプ深さｄ１との比ｄ１／ｗは、
０．３≦ｄ１／ｗ≦１．５
の範囲にある、請求項１〜５のいずれか１項に記載の空気入りタイヤ。
【請求項７】
前記サイプの開口幅ｗと、前記サイプ内側部分におけるサイプ深さｄ３との比ｄ３／ｗは、
０．２≦ｄ３／ｗ≦０．７５
の範囲にある、請求項１〜６のいずれか１項に記載の空気入りタイヤ。
【発明の詳細な説明】
【技術分野】
【０００１】
本発明は、空気入りタイヤに関するものである。
【背景技術】
【０００２】
従来、トレッド踏面に、要求される性能に応じた形状を有するサイプを複数個形成した空気入りタイヤが知られている。このような空気入りタイヤでは、ドライ路面走行時のパターンノイズ、特に、サイプによって生じるシズル音の発生が問題になることがある。特に近年、車両の低騒音化の要求が高まってきていることに従い、このような騒音を低減する手法が強く希求されている。
【０００３】
これに対し、例えば特許文献１、２には、ショルダブロックに周方向溝を設けることにより、接地時に閉じたサイプが開く際の空気の通り道を確保してシズル音を低減する方法が記載されている。
【０００４】
しかしながら、特許文献１、２に記載の方法では、周方向溝を設けることによりショルダブロックの剛性が低下するため、タイヤの磨耗性能やロードノイズ性能など、他のタイヤ性能が低下してしまうという問題があった。
【先行技術文献】
【特許文献】
【０００５】
【特許文献１】欧州特許出願公開７８７６００号明細書
【特許文献２】米国特許第５７３３３９３号明細書
【発明の概要】
【発明が解決しようとする課題】
【０００６】
本発明の目的は、上記の問題を解決すべく、タイヤの耐磨耗性やロードノイズ性能を確保しつつも、ドライ路面走行時のシズル音の発生を抑制した空気入りタイヤを提供することにある。
【課題を解決するための手段】
【０００７】
発明者は、上記の課題を解決すべく鋭意検討を重ねた。その結果、シズル音の発生が以下の現象に起因することを突き止めた。すなわち、発明者は、タイヤの接地面においては、タイヤ幅方向最外側陸部の接地端付近でサイプが閉じて空気が閉じ込められ、この接地面が路面から離れる際に閉じ込められた空気が勢い良く飛び出すことがシズル音発生の主要因であるということの知見を得た。そして、発明者は、サイプの接地端付近に位置する部分が、接地時にそもそも閉じないサイプ形状にすることによって、シズル音の発生を極めて有効に抑制することができることの新規知見を得た。
【０００８】
本発明は、上記の知見に基づいてなされたものであり、その要旨構成は、以下の通りである。
（１）タイヤのトレッド踏面に、トレッド周方向に延びる少なくとも２本の周方向溝及びトレッド端により区画される、少なくとも３つの陸部列を有する空気入りタイヤにおいて、前記陸部列のうちトレッド幅方向最外側の陸部列に、当該陸部列に隣接する周方向溝から少なくとも接地端まで、トレッド幅方向に延びるサイプが複数本配置され、前記サイプを、トレッド幅方向外側から順に、サイプ外側部分、サイプ中央部分、サイプ内側部分の３つに、トレッド幅方向に分けたとき、前記サイプ外側部分におけるサイプ深さは、前記サイプ中央部分におけるサイプ深さより浅く、前記サイプ内側部分におけるサイプ深さは、前記サイプ中央部分におけるサイプ深さより浅く、且つ、前記サイプ外側部分におけるサイプ深さより深く、前記サイプは、タイヤ平面視にて、前記サイプ中央部分と前記サイプ内側部分との交点にて屈曲した形状を有しており、前記サイプ内側部分のトレッド幅方向に対する傾斜角度は、前記サイプ中央部分のトレッド幅方向に対する傾斜角度よりも大きいことを特徴とする、空気入りタイヤ。
【００１０】
（２）前記サイプ外側部分における底部と、前記サイプ中央部分における底部とを連結する第１の側壁は、タイヤ径方向内側から外側に向かって、トレッド幅方向外側に傾斜している、上記（１）に記載の空気入りタイヤ。
【００１１】
（３）前記サイプ内側部分における底部と、前記サイプ中央部分における底部とを連結する第２の側壁は、タイヤ径方向内側から外側に向かって、トレッド幅方向内側に傾斜している、上記（１）に記載の空気入りタイヤ。
【００１２】
（４）前記サイプ外側部分における底部と、前記サイプ中央部分における底部とを連結する第１の側壁は、タイヤ径方向内側から外側に向かって、トレッド幅方向外側に傾斜し、且つ、前記サイプ内側部分における底部と、前記サイプ中央部分における底部とを連結する第２の側壁は、タイヤ径方向内側から外側に向かって、トレッド幅方向内側に傾斜している、上記（１）に記載の空気入りタイヤ。
（５）前記トレッド幅方向最外側の陸部列のみに、サイプが配置されている、上記（１）〜（４）のいずれかに記載の空気入りタイヤ。
（６）前記サイプの開口幅ｗと、前記サイプ外側部分におけるサイプ深さｄ１との比ｄ１／ｗは、０．３≦ｄ１／ｗ≦１．５の範囲にある、上記（１）〜（５）のいずれかに記載の空気入りタイヤ。
（７）前記サイプの開口幅ｗと、前記サイプ内側部分におけるサイプ深さｄ３との比ｄ３／ｗは、０．２≦ｄ３／ｗ≦０．７５の範囲にある、上記（１）〜（６）のいずれかに記載の空気入りタイヤ。
【発明の効果】
【００１３】
本発明によれば、タイヤの耐磨耗性やロードノイズ性能を確保しつつも、ドライ路面走行時のシズル音の発生を抑制した空気入りタイヤを提供することができる。
【図面の簡単な説明】
【００１４】
【図１】本発明の一実施形態にかかるタイヤのトレッドパターンを示す展開図である。
【図２】サイプ形状について説明するための、サイプの平面図及び幅方向断面図である。
【図３】サイプ形状について説明するための、サイプの平面図及び幅方向断面図である。
【図４】様々なサイプの平面図及び幅方向断面図である。
【図５】様々なサイプの平面図及び幅方向断面図である。
【図６】様々なサイプの平面図及び幅方向断面図である。
【図７】様々なサイプの平面図及び幅方向断面図である。
【図８】様々なサイプの平面図及び幅方向断面図である。
【発明を実施するための形態】
【００１５】
以下、本発明について、図面を参照して詳細に説明する。なお、タイヤの内部構造等については従来のそれと同様であるので説明を省略する。図１は、本発明の一実施形態にかかる空気入りタイヤ（以下、タイヤと称する）のトレッドパターンを示す展開図である。図１に示すように、このタイヤは、トレッド踏面１に、トレッド周方向に延びる少なくとも２本の周方向溝２を有し、これらの周方向溝２とトレッド端ＴＥとにより少なくとも３つの陸部列３が区画されている。図示例では、このタイヤは、トレッド踏面１に、４本の周方向溝２とトレッド端ＴＥとにより区画される、５つの陸部列３を有している。ここで、本発明において、周方向溝の形状は、特に限定されず、図１に示すように、トレッド周方向に直線状に延びる形状の他に、例えばジグザグ状に延びる形状等も含まれる。また、トレッド周方向に延びるとは、トレッド周方向に対して０°〜５°の角度で延びることを意味する。
【００１６】
また、図示例では、トレッド幅方向最外側に位置する２つの陸部列３ａ、及び、これら２つの陸部列３ａのそれぞれに隣接する２つの陸部列３ｂに、トレッド幅方向に延びる複数の幅方向溝４が形成されている。陸部列３ａ、３ｂは、それぞれ、これらの幅方向溝４により、複数のブロック５に区画されている。
【００１７】
さらに、幅方向最外側陸部列３ａには、当該陸部列３ａに隣接する幅方向最外側の周方向溝２ａから少なくとも接地端Ｅまで、図示例では接地端Ｅより幅方向外側のトレッド端ＴＥまで、トレッド幅方向に延びるサイプ６が複数本配置されている。ここで、サイプ６は、平面視において、直線状に延びていても良く、あるいは、図１に示すように、屈曲した形状としてもよい。また、サイプ６は、トレッド幅方向に対して０°〜４０°の傾斜角度で延びるものとする。ここでいう、「サイプの傾斜角度」とは、図１に示すように、サイプ６が平面視において、屈曲した形状である場合など、直線状でない場合には、サイプの幅方向両端点を結んだ直線がトレッド幅方向に対してなす角度をいうものとする。また、接地端Ｅとは、適用リムに装着したタイヤに、最大空気圧を充填して平板に垂直において、最大負荷荷重の８０％に対応する負荷をタイヤに作用させたときに該平板と接触することになるトレッドゴムの表面領域の幅方向端部をいうものとする。なお、適用リム、最大空気圧、最大負荷荷重は、ＪＡＴＭＡの規定に従うものとする。
【００１８】
図２は、上記のサイプ６の平面図及びトレッド幅方向断面図である。図２に示すように、サイプ６を、トレッド幅方向外側から順に、サイプ外側部分６ａ、サイプ中央部分６ｂ、サイプ内側部分６ｃの３つの部分に、トレッド幅方向に分けるものとする。ここで、図２に示すように、サイプ外側部分６ａは、接地端Ｅに対応する幅方向位置を含む部分である。また、サイプ外側部分６ａの延在長さは、サイプ延在長さの３０％〜５０％とし、サイプ中央部分６ｂの延在長さは、サイプ延在長さの２０％〜４０％とし、サイプ内側部分６ｃの延在長さは、サイプ延在長さの２０％〜４０％とする。
【００１９】
ここで、図２に示す例では、サイプ外側部分６ａにおけるサイプ深さｄ１は、サイプ中央部６ｂにおけるサイプ深さｄ２より浅い。さらに、図２に示す例では、サイプ内側部分６ｃにおけるサイプ深さｄ３は、サイプ中央部分６ｂにおけるサイプ深さｄ２より浅い。ここで、上記３つの各部分６ａ、６ｂ、６ｃにおけるサイプ深さｄ１、ｄ２、ｄ３とは、上記３つの各部分６ａ、６ｂ、６ｃにおける、新品時のタイヤのトレッド表面からサイプ最深部までのタイヤ径方向長さをいう。
【００２０】
本発明にあっては、上記のように、サイプ外側部分におけるサイプ深さが、サイプ中央部におけるサイプ深さより浅いことが肝要である。以下、本発明の作用効果について説明する。
【００２１】
本発明によれば、サイプ外側部分におけるサイプ深さが、サイプ中央部におけるサイプ深さより浅いため、サイプ外側部分付近の陸部の剛性が、サイプ中央部付近との対比で高くなる。そして、このサイプ外側部分は、接地端に対応する幅方向位置を含む部分であるため、接地時に、サイプが接地端付近で閉じにくくなり、上述した、サイプが閉じて空気が閉じ込められて、その後非接地状態となるときに、この閉じ込められた空気が飛び出すことに起因するシズル音を低減することができる。
【００２２】
ここで、サイプ外側部分６ａのサイプ深さｄ１は、サイプ中央部分６ｂのサイプ深さｄ２の１０％〜５０％とすることが好ましい。１０％以上とすることにより、空気の通り道を確保して、接地時に、より確実にサイプ底に空気が閉じ込められないようにすることができ、一方で、５０％以下とすることにより、接地端付近の陸部の剛性をより確実に高めることができるからである。具体的には、例えば、サイプ外側部分６ａのサイプ深さｄ１は、１〜３ｍｍ、サイプ中央部分６ｂのサイプ深さｄ２は、４〜８ｍｍとすることが好ましい。
【００２３】
また、サイプ外側部分６ａにおいて、サイプの開口幅ｗと、サイプ深さｄ１との比ｄ１／ｗは、
０．３≦ｄ１／ｗ≦１．５
の範囲とすることが好ましい。比ｄ１／ｗを１．５以下とすることで、接地端付近の剛性を高めて、接地時に、より確実にサイプが閉じないようにすることができ、一方で、比ｄ１／ｗを０．３以上とすることで、接地時に空気がサイプ底に閉じ込められないように、トレッド幅方向外側への空気の通り道を広く確保することができるからである。このため、サイプの開口幅ｗは、１．０〜１．５ｍｍとすることが好ましい。
【００２４】
また、本発明にあっては、図２に示すように、サイプ内側部分６ｃにおけるサイプ深さｄ３が、サイプ中央部分６ｂにおけるサイプ深さｄ２より浅く、且つ、サイプ外側部分におけるサイプ深さｄ１より深いことが好ましい。
サイプ深さｄ３がサイプ深さｄ２より浅いことにより、サイプ内側部分付近の陸部の剛性を確保して、タイヤの耐磨耗性、ロードノイズ性能などのタイヤの諸性能をさらに向上させることができ、また、サイプ内側部分においてもサイプが閉じにくくなり、シズル音をさらに低減することができるからである。また、サイプ深さｄ３がサイプ深さｄ１より深いことにより、サイプ外側部分での剛性を確保して耐磨耗性を向上させることができるからである。
【００２５】
ここで、サイプ内側部分６ｃのサイプ深さｄ３は、サイプ中央部分６ｂのサイプ深さｄ２の１０％〜７５％とすることが好ましい。１０％以上とすることにより、空気の通り道を確保して、接地時に、より確実にサイプ底に空気が閉じ込められないようにすることができ、一方で、７５％以下とすることにより、サイプ内側部の陸部の剛性をより確実に高めることができるからである。具体的には、例えば、サイプ内側部分６ａのサイプ深さｄ３は、２〜５ｍｍとし、サイプ中央部分６ｂのサイプ深さｄ２は、上述の通り、４〜１０ｍｍとすることが好ましい。
【００２６】
また、サイプ内側部分６ｃにおいて、サイプの開口幅ｗと、サイプ深さｄ３との比ｄ３／ｗは、
０．２≦ｄ３／ｗ≦０．７５
の範囲とすることが好ましい。比ｄ３／ｗを０．７５以下とすることで、サイプ内側部分の陸部の剛性を高めて、接地時に、より確実にサイプが閉じないようにすることができ、一方で、比ｄ３／ｗを０．２以上とすることで、接地時に空気がサイプ底に閉じ込められないように、トレッド幅方向内側への空気の通り道を広く確保することができるからである。このため、上述の通り、サイプの開口幅ｗは、１．０〜１．５ｍｍとすることが好ましい。
【００２７】
特に、本発明にあっては、サイプ外側部分６ａの延在長さを、サイプ延在長さの４０％程度とし、サイプ中央部分６ｂの延在長さを、サイプ延在長さの３０％程度とし、サイプ内側部分６ｃの延在長さを、サイプ延在長さの３０％程度とすることが好ましい。溝深さの浅い底上げ部分をブロックの両端に３０％超の延在長さで設けると、排水性が低下したり、ブロックの剛性が過度に高くなったりするおそれがあるからである。
【００２８】
さらに、本発明にあっては、サイプ外側部６ａのトレッド幅方向中央位置（サイプ外側部６ａの両端の中点）と接地端Ｅとが、トレッド幅方向に対応した位置であることが好ましい。これにより、サイプ深さを浅くすることにより陸部の剛性が高まる幅方向位置と、接地端Ｅの幅方向位置とが一致して、接地端付近でサイプが閉じないようにする効果がより一層高まるからである。
【００２９】
また、本発明にあっては、図１に示すように、サイプ６が平面視にて屈曲した形状であることが好ましい。サイプの形成による陸部の剛性の過度の低下を抑制して、ロードノイズ性能や耐磨耗性を確保することができるからである。この場合、図２に示すように、サイプ中央部６ｂとサイプ内側部６ｃとの交点にて屈曲した形状とし、サイプ内側部６ｃのサイプ深さｄ３をサイプ中央部６ｂのサイプ深さｄ２より浅くすることが好ましい。屈曲形状による陸部の剛性の増大と、サイプ深さが浅いことによる陸部の剛性の増大とが相まって、効果的にロードノイズ性能、耐磨耗性を確保することができ、また、屈曲する位置とサイプ深さが浅くなる位置が一致することで製造容易となるからである。
【００３０】
さらに、本発明にあっては、図２に示すように、サイプ外側部６ａにおける底部７ａと、サイプ中央部６ｂにおける底部７ｂとを連結する側壁８ａは、タイヤ径方向内側から外側に向かってトレッド幅方向外側に傾斜していることが好ましい。これにより、空気がサイプ中央部の底からトレッド幅方向外側へと抜け出やすくなり、シズル音の発生をより一層抑制することができるからである。なお、図２に示すように、サイプ内側部分６ｃにおけるサイプ深さｄ３が、サイプ中央部分６ｂにおけるサイプ深さｄ２より浅い場合には、サイプ内側部６ｃにおける底部７ｃと、サイプ中央部６ｂにおける底部７ｂとを連結する側壁８ｂが、タイヤ径方向内側から外側に向かって、トレッド幅方向内側に傾斜していることが好ましい。これにより、空気がサイプ中央部の底からトレッド幅方向内側へと抜け出やすくなり、シズル音の発生をより一層抑制することができるからである。また、図２に示すように、サイプ内側部分６ｃにおけるサイプ深さｄ３が、サイプ中央部分６ｂにおけるサイプ深さｄ２より浅い場合には、側壁８ａがタイヤ径方向内側から外側に向かってトレッド幅方向外側に傾斜し、且つ、側壁８ｂがタイヤ径方向内側から外側に向かってトレッド幅方向内側に傾斜していることがさらに好ましい。これにより、空気がサイプ中央部の底からトレッド幅方向外側及び内側の双方へと抜け出やすくなり、シズル音の発生をさらに一層抑制することができるからである。
【００３１】
また、図３に示すように、本発明にあっては、側壁８ａと底部７ｂとがなす角部９ａが湾曲していることが好ましい。これにより、空気がサイプ中央部の底からトレッド幅方向外側へと抜け出やすくなり、シズル音の発生をより一層抑制することができるからである。
【００３２】
同様に、図３に示すように、サイプ内側部分６ｃにおけるサイプ深さｄ３が、サイプ中央部分６ｂにおけるサイプ深さｄ２より浅い場合には、側壁８ｂと底部７ｂとがなす角部９ｂが湾曲していることが好ましい。このとき、角部９ｂにおける曲率半径Ｒ２は、２〜８ｍｍとすることが好ましい。
【００３３】
さらに、側壁８ａのタイヤ径方向に対する傾斜角度（鋭角）θ１は、５°〜１５°とすることが好ましい。５°以上とすることにより、サイプ中央部の底部から空気が逃げやすくなるからであり、一方で１５°以下とすることにより、サイプ外側部６ａ付近の陸部の剛性を確保して接地時に接地端付近でサイプが閉じないようにすることができるからである。また、図２に示すように、サイプ内側部分６ｃにおけるサイプ深さｄ３が、サイプ中央部分６ｂにおけるサイプ深さｄ２より浅い場合には、側壁８ｂのタイヤ径方向に対する傾斜角度（鋭角）θ２は、２０°〜４０°とすることが好ましい。２０°以上とすることにより、サイプ中央部の底部から空気が逃げやすくなるからであり、一方で、４０°以下とすることにより、サイプ内側部６ｃ付近の陸部の剛性を確保して接地時に接地端付近でサイプが閉じないようにすることができるからである。ここで、「側壁の傾斜角度」とは、タイヤを適用リムに装着し、規定内圧を充填し、無負荷状態としたときに、幅方向断面において、側壁がタイヤ径方向に対してなす角度をいう。なお、角部９ａ、９ｂが湾曲している場合は、タイヤを適用リムに装着し、規定内圧を充填し、無負荷状態としたときに、側壁８ａ、８ｂの、幅方向断面において直線状の部分が、タイヤ径方向に対してなす角度をいうものとする。
【実施例】
【００３４】
本発明の効果を確かめるため、発明例１〜１２比較例１〜８にかかるタイヤを試作し、タイヤ性能を評価する以下の試験を行った。各タイヤは、周方向溝及びトレッド端により区画される陸部列のうち幅方向最外側の陸部列に複数のサイプを設けたトレッドパターンを有する。各タイヤのトレッド踏面に形成したサイプの形状については図４〜図８に示してある。各タイヤの諸元を以下の表１に示す。なお、表１において、「接地端Ｅ」とは、サイプが、最外側陸部に隣接する周方向溝から接地端Ｅまでトレッド幅方向に延びていることを意味し、「接地端Ｅより外側」とは、サイプが、最外側陸部に隣接する周方向溝から接地端Ｅより幅方向外側までトレッド幅方向に延びていることを意味し、「接地端Ｅより内側」とは、サイプが、最外側陸部に隣接する周方向溝から接地端Ｅまで延びず、接地端Ｅより幅方向内側で終端していることを意味する。また、表１において、「サイプ形状」は、平面視において、サイプが屈曲した形状であるか、屈曲せずに直線状の形状であるかを示している。さらに、「陸部内溝」とは、図６（ｄ）（ｅ）に示すように、最外側陸部内に形成した、トレッド周方向に延びる溝をいう。加えて、「角部」とは、上述の通り、側壁とサイプ中央部の底部とがなす角部を意味する。加えてまた、側壁８ａが、幅方向断面にて、タイヤ径方向に対して傾斜している場合の傾斜角度θ１は１０°であり、側壁８ｂが、幅方向断面にて、タイヤ径方向に対して傾斜している場合の傾斜角度θ２は３０°である。
【００３５】
【表１】
0005845216.tif 000002
【００３６】
タイヤサイズ１９５／６５Ｒ１５の上記各タイヤを適用リムに装着し、規定内圧を充填し、以下の試験を行った。
＜シズル音評価＞
ドライ路面での操縦安定性評価において、異音を感応評価した。数値は大きい方が静音性に優れていることを示す。
＜ロードノイズ性能＞
ロードノイズ評価路を６０ｋｍ／ｈの速度で走行させながら、運転席に取り付けた集音マイクを介して周波数１００〜５００Ｈｚの全音圧（デシベル）を測定し、該測定値からロードノイズを評価し、比較例１のタイヤのロードノイズを１００として指数表示した。数値は大きい方が静音性に優れていることを示す。
＜耐磨耗性＞
８０ｋｍ／ｈの速度で３００００ｋｍ走行させるドラム試験を行った。
耐磨耗性の評価は、上記ドラム走行後の残溝量を求めることにより行い、比較例１にかかるタイヤにおける耐磨耗性を１００とした指数で表す。当該指数は大きいほど耐磨耗性に優れている。
これらの評価結果を、以下の表２に示す。
【００３７】
【表２】
0005845216.tif 000003
【００３８】
表２に示すように、発明例１〜１２にかかるタイヤは、いずれもロードノイズ性能、耐磨耗性を確保しつつも、シズル音を低減することができていることがわかる。
【００３９】
また、表２に示すように、発明例１と発明例７との比較、発明例９と発明例１０との比較、及び発明例１１と発明例１２との比較により、サイプ内側部のサイプ深さがサイプ中央部のサイプ深さより浅い、発明例１、９、１１に係るタイヤは、シズル音がさらに低減され、ロードノイズ性能や耐磨耗性もより優れていることがわかる。さらに、表２に示すように、発明例１と発明例３と発明例５との比較、及び発明例７と発明例８との比較により、側壁が傾斜している場合に、シズル音の低減効果がより高いことがわかる。
【００４０】
加えて、発明例１と発明例１１との比較、及び発明例７と発明例１２との比較により、角部が湾曲している場合に、シズル音の低減効果がより高いことがわかる。
【符号の説明】
【００４１】
１：トレッド踏面、２：周方向溝、３：陸部列、４：幅方向溝、５：ブロック、
６：サイプ、６ａ：サイプ外側部、６ｂ：サイプ中央部、６ｃ：サイプ内側部、
７ａ、７ｂ、７ｃ：底部、８ａ、８ｂ：側壁、９：陸部内溝、Ｅ：接地端、
ＴＥ：トレッド端、ｗ：サイプの開口幅
【図１】
0005845216.tif 000004
【図２】
0005845216.tif 000005
【図３】
0005845216.tif 000006
【図４】
0005845216.tif 000007
【図５】
0005845216.tif 000008
【図６】
0005845216.tif 000009
【図７】
0005845216.tif 000010
【図８】
0005845216.tif 000011